(57)【特許請求の範囲】
【請求項１】
譜面台の上面に載せた譜面を保持するための鍵盤楽器の譜面保持装置であって、
前記譜面台の下面に固定されるとともに、前後方向に延び、前面に開口する嵌合穴と、当該嵌合穴に直交するねじ孔とを有するステーと、
前記嵌合穴に回動自在に嵌合する嵌合部と、当該嵌合部の前端から直角に延びる保持部とからＬ字状に形成され、前記嵌合部の前記ねじ孔に対応する位置に、周方向に連続する係合溝が形成されたホルダーロッドと、
先端部に係合部を有し、前記ステーの前記ねじ孔にねじ込まれ、前記係合部が前記係合溝に係合することによって、前記ホルダーロッドを係止する止めねじと、
を備えることを特徴とする鍵盤楽器の譜面保持装置。
【請求項２】
前記ホルダーロッドの前記係合溝および前記止めねじの前記係合部は、互いに相補的な形状を有することを特徴とする、請求項１に記載の鍵盤楽器の譜面保持装置。
【請求項３】
前記ホルダーロッドの前記保持部の先端部に、摩擦性および弾性を有するキャップが取り付けられていることを特徴とする、請求項１または２に記載の鍵盤楽器の譜面保持装置。
【発明の詳細な説明】
【技術分野】
【０００１】
本発明は、譜面台に載せた譜面を保持するための鍵盤楽器の譜面保持装置に関する。
【背景技術】
【０００２】
鍵盤楽器の譜面台には、色々なタイプのものが用いられており、例えばアップライトピアノでは、鍵盤蓋の裏面に左右方向に延びる譜面台が前方にほぼ水平に延びるように取り付けられており、譜面は、譜面台に載せるとともに、鍵盤蓋に立てかけられている。一方、譜面には、製本タイプのものと、１枚物や見開き状のピースタイプのものがある。製本タイプの譜面を上記のような鍵盤蓋に立てかけた場合、開いているページが演奏中に自然に捲れやすく、特に、譜面がまだ新しく、開閉ぐせが付いていないときには、所望のページを安定して開くことが困難になる。また、ピースタイプの譜面の場合、譜面が薄いため、譜面が撓み、譜面台から滑り落ちやすい。このため、このような不具合を回避するための従来の譜面台組立品として、例えば特許文献１に開示されたものが知られている。
【０００３】
この譜面台組立品は、電子鍵盤楽器に適用されたものであり、天板上に設けられ、左右方向に延び、譜面を立てかけるための譜面板と、天板の上面の譜面板よりも前方に設けられ、譜面を載せて保持するための譜面押さえユニットで構成されている。譜面押さえユニットは、天板に形成された開口の下側からはめ込まれ、固定されており、ケース本体と、ケース本体に設けられた回動体と、ケース本体の下側の下カバーを備えている。回動体は、押さえ棒と、押さえ棒の一端部の両側面に一体に設けられた一対のブッシュで構成されている。各ブッシュは、短い円柱状のゴムで構成されており、ケース本体の半円形状の軸受け用凹面と下カバーの半円形状の軸受け用凹面との間に形成された支持孔にきつく嵌合している。
【０００４】
この構成により、押さえ棒は、前後方向に延びる水平な軸線回りにブッシュを中心として回動し、天板と面一の状態で、ケース本体内に水平に収容された収容位置と、ケース本体から６０°より小さな所定角度で、起立する起立位置との間で回動可能である。また、ブッシュが支持孔にきつく嵌合していることにより、押さえ棒は、回動範囲内の任意の角度位置に保持される。
【０００５】
この譜面台組立品では通常、押さえ棒を収容位置に位置させ、譜面の下端を譜面押さえユニットに載せ、譜面を譜面板に立てかける。また、必要に応じて、押さえ棒を起立位置に回動させ、押さえ棒で譜面の下端部を押さえつけることによって、譜面が保持される。
【０００６】
しかし、上述した従来の譜面台組立品では、譜面押さえユニットが開口へのはめ込みによって取り付けられているので、少なくとも譜面押さえユニットと同じ大きさのスペースが取付部位に必要になる。このため、前述したアップライトピアノの譜面台のような奥行きの小さな譜面台に、譜面押さえユニットを取り付けることは困難である。また、たとえ取り付けたとしても、譜面台から起立した押さえ棒と鍵盤蓋との間隔が非常に狭くなるため、厚い譜面を載せることができない。
【０００７】
さらに、この譜面台組立品では、押さえ棒を任意の角度位置に保持するための押さえ棒の回動抵抗を、ケース本体と下カバーとの間に形成された支持孔にブッシュをきつく嵌合することによって確保している。このため、ブッシュの摩耗などによって、押さえ棒の回動抵抗が低下し、押さえ棒を保持できなくなった場合、その保持力を回復できず、ブッシュを交換しなければならない。また、譜面押さえユニットが天板の開口に下側からはめ込まれているので、ブッシュを交換するには、天板を取り外す必要があるため、その作業が煩雑である。
【０００８】
本発明は、このような課題を解決するためになされたものであり、譜面のタイプにかかわらず、譜面台に載せた譜面を良好に保持できるとともに、鍵盤楽器が長期間、使用された場合でも、譜面の保持力を維持することができる鍵盤楽器の譜面保持装置を提供することを目的とする。
【０００９】
【特許文献１】特開２００２−２５８８３２号公報
【発明の開示】
【課題を解決するための手段】
【００１０】
この目的を達成するために、請求項１に係る発明は、譜面台の上面に載せた譜面を保持するための鍵盤楽器の譜面保持装置であって、譜面台の下面に固定されるとともに、前後方向に延び、前面に開口する嵌合穴と、嵌合穴に直交するねじ孔とを有するステーと、嵌合穴に回動自在に嵌合する嵌合部と、嵌合部の前端から直角に延びる保持部とからＬ字状に形成され、嵌合部のねじ孔に対応する位置に、周方向に連続する係合溝が形成されたホルダーロッドと、先端部に係合部を有し、ステーのねじ孔にねじ込まれ、係合部が係合溝に係合することによって、ホルダーロッドを係止する止めねじと、を備えることを特徴とする。
【００１１】
この鍵盤楽器の譜面保持装置によれば、譜面台の下面にステーが固定されており、その前面に開口するステーの嵌合穴に、Ｌ字状のホルダーロッドの嵌合部が回動自在に嵌合している。また、この嵌合部は、周方向に連続する係合溝を有しており、この係合溝に、ステーのねじ孔にねじ込まれた止めねじの先端部の係合部が係合することによって、ホルダーロッドがステーに係止されている。
【００１２】
したがって、止めねじの締め付け度合を適度に設定することによって、ホルダーロッドを、ステーの嵌合穴を中心として回動可能にするとともに、任意の角度位置に保持することができる。このため、嵌合部の前端から直角に延びる保持部が譜面台の上方に延びるようにホルダーロッドを回動させることによって、譜面台に載せた譜面を保持部で保持することができる。また、ホルダーロッドを任意の角度位置に保持できるので、例えば譜面の大小や厚さに応じて、ホルダーロッドの角度位置を設定し、それにより、譜面を保持する保持位置を変更することによって、譜面のタイプにかかわらず、譜面を良好に保持することができる。また、譜面を使用しないときや譜面を保持部で保持する必要がないときなどには、ホルダーロッドを回動させ、保持部を倒すことによって、保持部を邪魔になることなく、譜面台の下側に、それに沿ってコンパクトに収納することができる。
【００１３】
さらに、止めねじの締め付け度合を調整することによって、ホルダーロッドの回動抵抗を調整できるので、ホルダーロッドの保持力を確保でき、かつホルダーロッドを無理なく円滑に回せるような適度な回動抵抗を得ることができる。このため、鍵盤楽器の長期間の使用などによって、止めねじの緩みなどによりホルダーロッドが緩んだ場合でも、止めねじを締め付けるだけで、回動抵抗を容易に回復させることができ、ホルダーロッドの保持力を維持することができる。また、ステーを譜面台の下面に固定するとともに、ホルダーロッドが譜面台の前側に配置されるので、アップライトピアノのような奥行きの小さい譜面台にも容易に取り付けることができるとともに、既存のピアノにも後付けで取り付けることができる。
【００１４】
請求項２に係る発明は、請求項１に記載の鍵盤楽器の譜面保持装置において、ホルダーロッドの係合溝および止めねじの係合部は、互いに相補的な形状を有することを特徴とする。
【００１５】
この構成によれば、ホルダーロッドの係合溝および止めねじの係合部が、互いに相補的な形状を有するので、係合部が係合溝に隙間なくぴったりと係合し、それにより、ホルダーロッドをステーにしっかり係止できるとともに、止めねじを緩みにくくし、それによる保持力を長期間、維持することができる。
【００１６】
請求項３に係る発明は、請求項１または２に記載の鍵盤楽器の譜面保持装置において、ホルダーロッドの保持部の先端部に、摩擦性および弾性を有するキャップが取り付けられていることを特徴とする。
【００１７】
この構成によれば、譜面が接触する保持部の先端部にキャップが取り付けられるとともに、このキャップが摩擦性を有するので、譜面との間の摩擦抵抗を大きくすることができ、譜面が滑るのを抑制することができる。また、例えば鍵盤蓋に譜面台が取り付けられている場合、誤って保持部を立てたまま譜面台を折りたたんだとしても、キャップが弾性を有するので、保持部の接触による鍵盤蓋の損傷を防止することができる。
【発明を実施するための最良の形態】
【００１８】
以下、図面を参照しながら、本発明の好ましい実施形態を詳細に説明する。図１は、本発明の譜面保持装置１を備えたアップライトピアノ２（鍵盤楽器）を示している。なお、以下の説明では、アップライトピアノ２を演奏者から見た場合の手前側を「前」、奥側を「後」とし、さらに左側および右側をそれぞれ「左」および「右」として、説明を行うものとする。
【００１９】
図１に示すように、このアップライトピアノ２は、左右の親板３，３と、親板３，３間に水平に固定された棚板４と、棚板４上に配置された鍵盤５と、鍵盤５を開閉する鍵盤蓋６と、鍵盤蓋６に取り付けられた譜面台７などを備えている。
【００２０】
図１に示すように、譜面台７は、左右方向に延びる長方形状のものであり、その後端部において、左右２つの蝶番８，８を介して鍵盤蓋６の裏面に回動自在に取り付けられている。図２に示すように、譜面台７の前端部には、上方に若干、突出するストッパ７ａが一体に形成されている。この構成により、図２に示す載置位置から譜面台７を押し上げると、譜面台７は、蝶番８を中心として、同図の反時計方向に回動し、ストッパ７ａの先端が鍵盤蓋６に当接することによって、折りたたみ位置に保持される。一方、この折りたたみ位置から譜面台７を手前側に引くと、譜面台７は、時計方向に回動し、譜面台７の後端面が鍵盤蓋６に当接することによって、鍵盤蓋６の前方にほぼ水平に延びる載置位置に保持される。この載置位置において、譜面Ｓが、譜面台７の上面に載せられるとともに、鍵盤蓋６に立てかけられる。この状態では通常、譜面Ｓの下端部がストッパ７ａに係止されることにより、譜面Ｓが譜面台７上に保持される。
【００２１】
本発明に係る譜面保持装置１は、譜面台７に取り付けられている。図１〜図３に示すように、譜面保持装置１は、左右２つのステー１１，１１と、各ステー１１に嵌合したホルダーロッド１２と、ホルダーロッド１２をステー１１に係止するための止めねじ１３と、ステー１１を譜面台７の下面に固定するための２つの固定ねじ１４，１４などを備えている。
【００２２】
２つのステー１１，１１は、譜面台７の下面前端部の蝶番８，８よりも内側に配置されている。図３および図４（ａ）に示すように、ステー１１は、短い円柱状に形成されており、その上半部には嵌合穴１５が形成されている。この嵌合穴１５は、断面円形で、ステー１１の前面に開口し、前後方向に延びている。嵌合穴１５の後端部には、後ろ側に向かって狭まるテーパが付けられている。また、図４に示すように、ステー１１にはねじ孔１６が形成されている。このねじ孔１６は、ステー１１の下面に開口し、上下方向に嵌合穴１５まで延び、嵌合穴１５に直交している。さらに、ステー１１の中央には、嵌合穴１５の両側に、上下方向に貫通する２つの孔１７，１７が形成されている。これらの各孔１７に、下側から固定ねじ１４を通し、譜面台７にねじ込むことによって、ステー１１が譜面台７の下面に固定されている。また、孔１７の下端部は、座ぐり加工された収容部１７ａになっており、この収容部１７ａに固定ねじ１４の頭部が収容されることによって、固定ねじ１４がステー１１から下方に突出しないようになっている。
【００２３】
図３に示すように、ホルダーロッド１２は、丸棒で構成されており、前後方向に延びる嵌合部１８と、その前端から直角に延びる保持部１９とから、Ｌ字状に形成されている。嵌合部１８は、嵌合穴１５とほぼ同じ径を有しており、それにより、嵌合穴１５に回動自在に嵌合している。嵌合部１８の後端部には、嵌合穴１５の後端部のテーパとほぼ同じテーパが付けられている。また、嵌合部１８には、ステー１１のねじ孔１６に対応する位置に、係合溝１８ａが形成されている。この係合溝１８ａは、周方向に連続し、嵌合部１８の長さ方向に沿う断面が、図７（ａ）に示すようなＵ字状に形成されており、その幅は、ねじ孔１６の径と一致している。保持部１９は、嵌合部１８よりも長く、その先端部には、摩擦性および弾性を有するゴムなどで構成されたキャップ２０が取り付けられている。
【００２４】
図３および図５に示すように、止めねじ１３は、外周面にねじが切られたねじ部１３ａと、ねじ部１３ａの先端側に連続し、ねじが切られていない係合部１３ｂで構成されている。ねじ部１３ａの下面には、六角レンチ（図示せず）用の六角穴１３ｃが形成されている（図６参照）。係合部１３ｂは、嵌合部１８の係合溝１８ａと相補的な形状を有しており、すなわち側面Ｕ字状の短い円柱状に形成されている。
【００２５】
以上の構成により、ステー１１のねじ孔１６にねじ込んだ止めねじ１３を六角レンチで締め付けることによって、図５に示すように、止めねじ１３の係合部１３ｂが嵌合部１８の係合溝１８ａに隙間なくぴったりと係合する。この係合によって、ホルダーロッド１２が抜け出ないようにステー１１に係止される。また、止めねじ１３の締め付け度合を調整することによって、ホルダーロッド１２を、ステー１１の嵌合穴１５を中心として回動可能にするとともに、任意の角度位置に保持することができる。また、この締め付け度合を調整することによって、ホルダーロッド１２の回動抵抗を調整できるので、ホルダーロッド１２の保持力を確保でき、かつホルダーロッド１２を無理なく円滑に回せるような適度な回動抵抗を得ることができる。
【００２６】
以上の構成の譜面保持装置１は、次のようにして使用される。図２に示すように、譜面Ｓを使用する場合には、譜面台７を載置位置に位置させ、譜面Ｓを保持する場合にはさらに、ホルダーロッド１２の保持部１９が譜面台７の上方に延びるようにホルダーロッド１２を回動させる（図１の実線位置）。そして、譜面Ｓを譜面台７に載せる。このため、譜面Ｓがピースタイプの場合、図２に示すように、譜面Ｓが撓み、その下端部がストッパ７ａから外れたとしても、直立した保持部１９によって、滑り落ちを防止し、安定して保持することができる。また、図示しないが、譜面が製本タイプのように捲れやすい場合でも、譜面の捲れかかった部分が保持部１９に当接することによって捲れを防止でき、所望のページを安定して開くことができる。一方、譜面Ｓを保持する必要がない場合などには、ホルダーロッド１２を回動させ、保持部１９を倒す（図１の破線位置および図６）ことによって、保持部１９を譜面台７の下側に、それに沿って収納する。
【００２７】
以上のように、本実施形態によれば、譜面台７の下面に固定されたステー１１の嵌合穴１５に、Ｌ字状のホルダーロッド１２の嵌合部１８が回動自在に嵌合している。また、嵌合部１８の係合溝１８ａに、ステー１１のねじ孔１６にねじ込まれた止めねじ１３の係合部１３ｂが係合することによって、ホルダーロッド１２がステー１１に係止されている。したがって、止めねじ１３の締め付け度合を適度に設定することによって、ホルダーロッド１２を、回動可能にするとともに、任意の角度位置に保持することができる。このため、保持部１９が譜面台７の上方に延びるようにホルダーロッド１２を回動させることによって、譜面台７の上面に載せた譜面Ｓを保持部１９で保持することができる。
【００２８】
また、ホルダーロッド１２を任意の角度位置に保持できるので、譜面の大小や厚さに応じて、ホルダーロッド１２の角度位置を設定することによって、譜面のタイプにかかわらず、譜面を良好に保持することができる。また、譜面を使用しないときや譜面を保持部１９で保持する必要がないときなどには、ホルダーロッド１２を回動させ、保持部１９を倒すことによって、保持部１９を邪魔になることなく、譜面台７の下側に、それに沿ってコンパクトに収納することができる。
【００２９】
さらに、止めねじ１３の締め付け度合を調整するだけで、ホルダーロッド１２の回動抵抗を調整できるので、アップライトピアノ２の長期間の使用などによって、止めねじ１３の緩みなどによりホルダーロッド１２が緩んだ場合でも、止めねじ１３を締め付けるだけで、回動抵抗を容易に回復させることができ、ホルダーロッド１２の保持力を維持することができる。また、ステー１１を譜面台７の下面に固定するとともに、ホルダーロッド１２の保持部１９が譜面台７の前側に配置されるので、アップライトピアノ２のような奥行きの小さい譜面台７にも容易に取り付けることができるとともに、既存のピアノにも後付けで取り付けることができる。
【００３０】
また、ホルダーロッド１２の係合溝１８ａの断面および止めねじ１３の係合部１３ｂの側面がいずれもＵ字状に形成され、互いに相補的な形状を有するので、ホルダーロッド１２をステー１１にしっかり係止できるとともに、止めねじ１３を緩みにくくし、それによる保持力を長期間、維持することができる。
【００３１】
さらに、譜面が接触する保持部１９の先端部にゴム製のキャップ２０が取り付けられているので、譜面との間の摩擦抵抗を大きくすることができ、譜面が滑るのを抑制することができる。また、誤って保持部１９を立てたまま譜面台７を折りたたみ位置に回動しても、キャップ２０によって、保持部１９の接触による鍵盤蓋６の損傷を防止することができる。
【００３２】
なお、本発明は、説明した実施形態に限定されることなく種々の態様で実施することができる。例えば、実施形態では、ステー１１を、鍵盤蓋６に開閉自在に取り付けた譜面台７に固定しているが、これに限らず、例えば下屋根の上面に取り付けられた固定式の譜面台に固定してもよい。また、実施形態では、嵌合部１８の係合溝１８ａの断面形状は、Ｕ字状であるが、これに限らず、例えば、図７（ｂ）に示すようなＲ付きのＵ字状や図７（ｃ）に示すようなＶ字状でもよい。この場合、止めねじ１３の係合部１３ｂは、係合溝１８ａと互いに相補的なＲ付きのＵ字状やＶ字状に形成される。さらに、実施形態では、キャップ２０をゴムで構成しているが、これに限らず、例えばウレタンなどの合成樹脂で構成してもよい。
【００３３】
さらに、実施形態は、本発明をアップライトピアノに適用した例であるが、本発明はこれに限らず、他のタイプの鍵盤楽器にも適用することが可能である。その他、本発明の趣旨の範囲内で、細部を適宜変更することが可能である。
【図面の簡単な説明】
【００３４】
【図１】本発明の実施形態による譜面保持装置を備えたアップライトピアノの正面図である。
【図２】譜面保持装置の側面図である。
【図３】譜面保持装置の分解斜視図である。
【図４】譜面保持装置のステーの（ａ）底面図および（ｂ）側面図である。
【図５】譜面保持装置の断面図である。
【図６】譜面保持装置の底面図である。
【図７】係合溝の形状を示すための断面図である。
【符号の説明】
【００３５】
１  譜面保持装置
２  アップライトピアノ（鍵盤楽器）
７  譜面台
１１  ステー
１２  ホルダーロッド
１３  止めねじ
１３ｂ  係合部
１５  嵌合穴
１６  ねじ孔
１８  嵌合部
１８ａ  係合溝
１９  保持部
２０  キャップ
Ｓ  譜面
【図１】
0004535994.tif 000002
【図２】
0004535994.tif 000003
【図３】
0004535994.tif 000004
【図４】
0004535994.tif 000005
【図５】
0004535994.tif 000006
【図６】
0004535994.tif 000007
【図７】
0004535994.tif 000008